(57)【要約】【課題】タッチパネルの使い勝手をトラックボールのようにする。【解決手段】操作者の指が接触状態の期間は指の移動速度を表す入力速度信号（ｖｘ）を比較的小さな時定数（Ｔａ）のローパスフィルタ（３ｘ）を通して出力し、接触状態から非接触状態に変化した時は最後の速度信号（ｖｘ）を比較的大きな時定数（Ｔｂ）のローパスフィルタ（３ｘ）を通して出力する。【効果】操作者の指が非接触状態になった後も最後の速度信号が尾を引くようになるので、トラックボールが慣性で回る動作を模倣することが出来る。【選択図】図２
2008102885.tif 000002
【特許請求の範囲】
【請求項１】
操作者の指が接触状態の期間は入力信号を比較的小さな時定数のローパスフィルタを通して出力し、接触状態から非接触状態に変化した時は最後の入力信号を比較的大きな時定数のローパスフィルタを通して出力することを特徴とする信号変換方法。
【請求項２】
請求項１に記載の信号変換方法において、前記入力信号が、操作者の指の接触位置が変化する速度を示す速度信号であることを特徴とする信号変換方法。
【請求項３】
操作者の指が非接触状態から接触状態に変化した後の所定期間は入力信号を比較的大きな時定数のローパスフィルタを通して出力し、前記所定期間の後は比較的小さな時定数のローパスフィルタを通すか又はスルーで出力し、接触状態から非接触状態に変化した後は最後の入力信号を比較的大きな時定数のローパスフィルタを通して出力することを特徴とする信号変換方法。
【請求項４】
請求項３に記載の信号変換方法において、前記入力信号が、操作者の指の接触位置が変化する速度を示す速度信号であることを特徴とする信号変換方法。
【請求項５】
操作者の指が接触している位置が変化する速度を示す速度信号を作成する速度信号出力手段と、操作者の指が接触状態の期間は前記速度信号を比較的小さな時定数のローパスフィルタを通して出力し接触状態から非接触状態に変化した時は最後の速度信号を比較的大きな時定数のローパスフィルタを通して出力する信号処理手段とを具備したことを特徴とする速度信号変換装置。
【請求項６】
操作者の指が接触している位置が変化する速度を示す速度信号を作成する速度信号出力手段と、操作者の指が非接触状態から接触状態に変化した後の所定期間は前記速度信号を比較的大きな時定数のローパスフィルタを通して出力し前記所定期間の後は比較的小さな時定数のローパスフィルタを通すか又はスルーで出力し接触状態から非接触状態に変化した後は最後の速度信号を比較的大きな時定数のローパスフィルタを通して出力する信号処理手段とを具備したことを特徴とする速度信号変換装置。
【請求項７】
操作者の指が接触状態であるか非接触状態であるかの情報および指が接触している位置の情報を含むセンサ信号を出力するタッチセンサ手段と、前記センサ信号を基に操作者の指が接触している位置が変化する速度を示す速度信号を作成する速度信号出力手段と、操作者の指が接触状態の期間は前記速度信号を比較的小さな時定数のローパスフィルタを通して出力し接触状態から非接触状態に変化した時は最後の速度信号を比較的大きな時定数のローパスフィルタを通して出力する信号処理手段とを具備したことを特徴とするタッチパネル式入力装置。
【請求項８】
操作者の指が接触状態であるか非接触状態であるかの情報および指が接触している位置の情報を含むセンサ信号を出力するタッチセンサ手段と、前記センサ信号を基に操作者の指が接触している位置が変化する速度を示す速度信号を作成する速度信号出力手段と、操作者の指が非接触状態から接触状態に変化した後の所定期間は前記速度信号を比較的大きな時定数のローパスフィルタを通して出力し前記所定期間の後は比較的小さな時定数のローパスフィルタを通すか又はスルーで出力し接触状態から非接触状態に変化した後は最後の速度信号を比較的大きな時定数のローパスフィルタを通して出力する信号処理手段とを具備したことを特徴とするタッチパネル式入力装置。
【発明の詳細な説明】
【技術分野】
【０００１】
本発明は、信号変換方法、速度信号変換装置およびタッチパネル式入力装置に関し、さらに詳しくは、タッチパネルの使い勝手をトラックボールのようにするための信号変換方法、速度信号変換装置およびタッチパネル式入力装置に関する。
【背景技術】
【０００２】
従来、タッチパネルの使い勝手をトラックボールのようにするためのタッチセンサ式座標入力装置が提案されている（例えば、特許文献１参照。）。
【特許文献１】特開２００４−９４４５０号公報
【発明の開示】
【発明が解決しようとする課題】
【０００３】
上記従来の提案では、「トラックボールを用いて座標入力する際の動作をシミュレートする」との記載があるばかりで、具体的な開示が一切無く、実際上、実施不可能な問題点があった。
そこで、本発明の目的は、実際に実施が可能であり且つタッチパネルの使い勝手をトラックボールのようにすることが出来る信号変換方法、速度信号変換装置およびタッチパネル式入力装置を提供することにある。
【課題を解決するための手段】
【０００４】
第１の観点では、本発明は、操作者の指が接触状態の期間は入力信号を比較的小さな時定数のローパスフィルタを通して出力し、接触状態から非接触状態に変化した時は最後の入力信号を比較的大きな時定数のローパスフィルタを通して出力することを特徴とする信号変換方法を提供する。
上記第１の観点による信号変換方法では、操作者の指が非接触状態になった後も最後の入力信号が尾を引くようになるので、トラックボールが慣性で回る動作を模倣することが出来る。
【０００５】
第２の観点では、本発明は、前記第１の観点による信号変換方法において、前記入力信号が、操作者の指の接触位置が変化する速度を示す速度信号であることを特徴とする信号変換方法を提供する。
上記第２の観点による信号変換方法では、操作者の指が非接触状態になった後も最後の速度信号が尾を引くようになるので、トラックボールが慣性で回る動作を模倣することが出来る。
【０００６】
第３の観点では、本発明は、操作者の指が非接触状態から接触状態に変化した後の所定期間は入力信号を比較的大きな時定数のローパスフィルタを通して出力し、前記所定期間の後は比較的小さな時定数のローパスフィルタを通すか又はスルーで出力し、接触状態から非接触状態に変化した後は最後の入力信号を比較的大きな時定数のローパスフィルタを通して出力することを特徴とする信号変換方法を提供する。
上記第３の観点による信号変換方法では、操作者の指が接触状態になった時に立上りが遅れるので、トラックボールが最初は慣性で回りにくい動作を模倣することが出来る。また、その後は速やかに反応するので、操作者の指が接触状態を維持してトラックボールを回しているときの動作を模倣することが出来る。さらに、操作者の指が非接触状態になった後も最後の入力信号が尾を引くようになるので、トラックボールが慣性で回る動作を模倣することが出来る。
【０００７】
第４の観点では、本発明は、前記第３の観点による信号変換方法において、前記入力信号が、操作者の指の接触位置が変化する速度を示す速度信号であることを特徴とする信号変換方法を提供する。
上記第３の観点による信号変換方法では、操作者の指が非接触状態から接触状態になった時は反応が遅れるので、トラックボールが最初は慣性で回りにくい動作を模倣することが出来る。また、その後は速やかに反応するので、操作者の指が接触状態を維持してトラックボールを回しているときの動作を模倣することが出来る。さらに、操作者の指が非接触状態になった後も最後の速度信号が尾を引くようになるので、トラックボールが慣性で回る動作を模倣することが出来る。
【０００８】
第５の観点では、本発明は、操作者の指が接触している位置が変化する速度を示す速度信号を作成する速度信号出力手段と、操作者の指が接触状態の期間は前記速度信号を比較的小さな時定数のローパスフィルタを通して出力し接触状態から非接触状態に変化した時は最後の速度信号を比較的大きな時定数のローパスフィルタを通して出力する信号処理手段とを具備したことを特徴とする速度信号変換装置を提供する。
上記第５の観点による速度信号変換装置では、上記第２の観点による信号変換方法を好適に実施できる。
【０００９】
第６の観点では、本発明は、操作者の指が接触している位置が変化する速度を示す速度信号を作成する速度信号出力手段と、操作者の指が非接触状態から接触状態に変化した後の所定期間は前記速度信号を比較的大きな時定数のローパスフィルタを通して出力し前記所定期間の後は比較的小さな時定数のローパスフィルタを通すか又はスルーで出力し接触状態から非接触状態に変化した後は最後の速度信号を比較的大きな時定数のローパスフィルタを通して出力する信号処理手段とを具備したことを特徴とする速度信号変換装置を提供する。
上記第６の観点による速度信号変換装置では、上記第４の観点による信号変換方法を好適に実施できる。
【００１０】
第７の観点では、本発明は、操作者の指が接触状態であるか非接触状態であるかの情報および指が接触している位置の情報を含むセンサ信号を出力するタッチセンサ手段と、前記センサ信号を基に操作者の指が接触している位置が変化する速度を示す速度信号を作成する速度信号出力手段と、操作者の指が接触状態の期間は前記速度信号を比較的小さな時定数のローパスフィルタを通して出力し接触状態から非接触状態に変化した時は最後の速度信号を比較的大きな時定数のローパスフィルタを通して出力する信号処理手段とを具備したことを特徴とするタッチパネル式入力装置を提供する。
上記第７の観点によるタッチパネル式入力装置では、操作者の指が非接触状態になった後も最後の速度信号が尾を引くようになるので、トラックボールが慣性で回る動作を模倣することが出来る。
【００１１】
第８の観点では、本発明は、操作者の指が接触状態であるか非接触状態であるかの情報および指が接触している位置の情報を含むセンサ信号を出力するタッチセンサ手段と、前記センサ信号を基に操作者の指が接触している位置が変化する速度を示す速度信号を作成する速度信号出力手段と、操作者の指が非接触状態から接触状態に変化した後の所定期間は前記速度信号を比較的大きな時定数のローパスフィルタを通して出力し前記所定期間の後は比較的小さな時定数のローパスフィルタを通すか又はスルーで出力し接触状態から非接触状態に変化した後は最後の速度信号を比較的大きな時定数のローパスフィルタを通して出力する信号処理手段とを具備したことを特徴とするタッチパネル式入力装置を提供する。
上記第８の観点によるタッチパネル式入力装置では、操作者の指が非接触状態から接触状態になった時は反応が遅れるので、トラックボールが最初は慣性で回りにくい動作を模倣することが出来る。また、その後は速やかに反応するので、操作者の指が接触状態を維持してトラックボールを回しているときの動作を模倣することが出来る。さらに、操作者の指が非接触状態になった後も最後の入力信号が尾を引くようになるので、トラックボールが慣性で回る動作を模倣することが出来る。
【発明の効果】
【００１２】
本発明の信号変換方法、速度信号変換装置およびタッチパネル式入力装置によれば、タッチパネルの使い勝手をトラックボールのようにすることが出来る。
【発明を実施するための最良の形態】
【００１３】
以下、図に示す実施の形態により本発明をさらに詳細に説明する。なお、これにより本発明が限定されるものではない。
【実施例１】
【００１４】
図１は、実施例１に係るタッチパネル式入力装置１００の構成説明図である。
このタッチパネル式入力装置１００は、タッチセンサ部１と、信号処理部１０とからなる。なお、信号処理部１０は、ハードウエア的に構成してもよいし、ソフトウエア的に構成してもよい。
【００１５】
タッチセンサ部１は、Ｘ座標信号ＸおよびＹ座標信号Ｙを出力する。
Ｘ座標信号ＸおよびＹ座標信号Ｙは、タッチセンサ部１のパネル面に操作者の指が接触しているときは接触位置の座標値となり、操作者の指が接触していないときは座標範囲外の値となる。
【００１６】
信号処理部１０において、信号変換部２は、Ｘ座標信号Ｘを時間微分したＸ速度信号ｖｘと、Ｙ座標信号Ｙを時間微分したＹ速度信号ｖｙと、ローパスフィルタ３ｘのスイッチＡｘ，Ｂx1，Ｂx2およびローパスフィルタ３ｙのスイッチＡｙ，Ｂy1，Ｂy2をオン／オフするタッチ信号Ｆを出力する。
【００１７】
Ｘ速度信号ｖｘは、ローパスフィルタ３ｘに入力される。
ローパスフィルタ３ｘは、Ｘ座標信号ＸおよびＹ座標信号Ｙの少なくとも一方の値が座標値範囲内のときは「オン」／座標値範囲外のときは「オフ」とされるスイッチＡｘと、Ｘ座標信号ＸおよびＹ座標信号Ｙの少なくとも一方の値が座標値範囲内のときは「オフ」／座標値範囲外のときは「オン」とされるスイッチＢx1と、スイッチＡｘが「オン」のときに抵抗値Ｒａの抵抗Ｒaxを介してＸ速度信号ｖｘの電圧で充放電されると共にスイッチＢx1が「オン」のときに抵抗値Ｒｂ（＞Ｒａ）の抵抗Ｒbxを介して放電されるキャパシタンスＣｘと、Ｘ座標信号ＸおよびＹ座標信号Ｙの少なくとも一方の値が座標値範囲内のときは「オフ」／座標値範囲外であって且つ出力速度信号Ｖｘが閾値より小さいときは「オン」とされるスイッチＢx2とからなる。
【００１８】
Ｙ速度信号ｖｙは、ローパスフィルタ３ｙに入力される。
ローパスフィルタ３ｙは、Ｘ座標信号ＸおよびＹ座標信号Ｙの少なくとも一方の値が座標値範囲内のときは「オン」／座標値範囲外のときは「オフ」とされるスイッチＡｙと、Ｘ座標信号ＸおよびＹ座標信号Ｙの少なくとも一方の値が座標値範囲内のときは「オフ」／座標値範囲外のときは「オン」とされるスイッチＢy1と、スイッチＡｙが「オン」のときに抵抗値Ｒａの抵抗Ｒayを介してＹ速度信号ｖｙの電圧で充放電されると共にスイッチＢy1が「オン」のときに抵抗値Ｒｂ（＞Ｒａ）の抵抗Ｒbyを介して放電されるキャパシタンスＣｙと、Ｘ座標信号ＸおよびＹ座標信号Ｙの少なくとも一方の値が座標値範囲内のときは「オフ」／座標値範囲外であって且つ出力速度信号Ｖｙが閾値より小さいときは「オン」とされるスイッチＢy2とからなる。
【００１９】
図２は、ローパスフィルタ３ｘの各部の信号波形図であり、入力速度信号ｖｘがステップ状の場合を想定している。
操作者の指が接触している間は、出力速度信号Ｖｘは、抵抗Ｒaxの抵抗値Ｒａで決まる時定数Ｔａだけ入力速度信号ｖｘが遅れた信号となる。
操作者の指が接触しなくなった時は、出力速度信号Ｖｘは、抵抗Ｒbxの抵抗値Ｒｂで決まる時定数Ｔｂ（＞Ｔａ）により最後の入力速度信号ｖｘが尾を引くようになる。但し、長々と尾を引くのを避けるため、出力速度信号Ｖｘが閾値より小さくなると、出力速度信号Ｖｘは０になる。
【００２０】
図３に示すように、入力速度信号ｖｘが時定数Ｔｂより小さい立上りと立下りを持つ場合は、入力速度信号ｖｘがほぼそのまま出力速度信号Ｖｘとなる。
【００２１】
ローパスフィルタ３ｙの各部の信号波形も同様である。
【００２２】
実施例１のタッチパネル式入力装置１００によれば、操作者の指が非接触状態になった後も最後の速度信号ｖｘが尾を引くようになるので、トラックボールが慣性で回る動作を模倣することが出来る。
【実施例２】
【００２３】
図４は、実施例２に係るタッチパネル式入力装置２００の構成説明図である。
このタッチパネル式入力装置２００は、タッチセンサ部１と、信号処理部１０’とからなる。なお、信号処理部１０’は、ハードウエア的に構成してもよいし、ソフトウエア的に構成してもよい。
【００２４】
タッチセンサ部１は、Ｘ座標信号ＸおよびＹ座標信号Ｙを出力する。
Ｘ座標信号ＸおよびＹ座標信号Ｙは、タッチセンサ部１のパネル面に操作者の指が接触しているときは接触位置の座標値となり、操作者の指が接触していないときは座標範囲外の値となる。
【００２５】
信号処理部１０’において、信号変換部２’は、Ｘ座標信号Ｘを時間微分したＸ速度信号ｖｘと、Ｙ座標信号Ｙを時間微分したＹ速度信号ｖｙと、ローパスフィルタ３ｘ’のスイッチＡｘ，Ｂx1，Ｂx2およびローパスフィルタ３ｙ’のスイッチＡｙ，Ｂy1，Ｂy2をオン／オフするタッチ信号Ｆと、Ｘ座標信号ＸおよびＹ座標信号Ｙの少なくとも一方の値が座標値範囲外から座標値範囲内になった時から所定期間はローパスフィルタ３ｘ’の抵抗Ｒｘおよびローパスフィルタ３ｙ’の抵抗Ｒｙを大きくしその後は小さくするための時定数信号ｒを出力する。
【００２６】
Ｘ速度信号ｖｘは、ローパスフィルタ３ｘ’に入力される。
ローパスフィルタ３ｘ’は、Ｘ座標信号ＸおよびＹ座標信号Ｙの少なくとも一方の値が座標値範囲内のときは「オン」／座標値範囲外のときは「オフ」とされるスイッチＡｘと、Ｘ座標信号ＸおよびＹ座標信号Ｙの少なくとも一方の値が座標値範囲内のときは「オフ」／座標値範囲外のときは「オン」とされるスイッチＢx1と、スイッチＡｘが「オン」のときに抵抗Ｒｘを介してＸ速度信号ｖｘの電圧で充放電されると共にスイッチＢx1が「オン」のときに抵抗値Ｒｂ（＞Ｒａ）の抵抗Ｒbxを介して放電されるキャパシタンスＣｘと、Ｘ座標信号ＸおよびＹ座標信号Ｙの少なくとも一方の値が座標値範囲内のときは「オフ」／座標値範囲外であって且つ出力速度信号Ｖｘが閾値より小さいときは「オン」とされるスイッチＢx2とからなる。
【００２７】
Ｙ速度信号ｖｙは、ローパスフィルタ３ｙ’に入力される。
ローパスフィルタ３ｙ’は、Ｘ座標信号ＸおよびＹ座標信号Ｙの少なくとも一方の値が座標値範囲内のときは「オン」／座標値範囲外のときは「オフ」とされるスイッチＡｙと、Ｘ座標信号ＸおよびＹ座標信号Ｙの少なくとも一方の値が座標値範囲内のときは「オフ」／座標値範囲外のときは「オン」とされるスイッチＢy1と、スイッチＡｙが「オン」のときに抵抗Ｒｙを介してＹ速度信号ｖｙの電圧で充放電されると共にスイッチＢy1が「オン」のときに抵抗値Ｒｂ（＞Ｒａ）の抵抗Ｒbyを介して放電されるキャパシタンスＣｙと、Ｘ座標信号ＸおよびＹ座標信号Ｙの少なくとも一方の値が座標値範囲内のときは「オフ」／座標値範囲外であって且つ出力速度信号Ｖｙが閾値より小さいときは「オン」とされるスイッチＢy2とからなる。
【００２８】
図５は、ローパスフィルタ３ｘ’の各部の信号波形図であり、入力速度信号ｖｘがステップ状の場合を想定している。
操作者の指が非接触から接触になった時から所定期間は、時定数信号ｒにより抵抗Ｒｘの抵抗値がＲｂにされているため、出力速度信号Ｖｘは、抵抗値Ｒｂで決まる時定数Ｔｂだけ入力速度信号ｖｘが遅れた信号となる。
所定期間の後は、時定数信号ｒにより抵抗Ｒｘの抵抗値がＲａ（＜Ｒｂ）にされるため、出力速度信号Ｖｘは、抵抗値Ｒａで決まる時定数Ｔａ（＜Ｔｂ）だけ入力速度信号ｖｘが遅れた信号となる。
操作者の指が接触しなくなった時は、出力速度信号Ｖｘは、抵抗Ｒbyの抵抗値Ｒｂで決まる時定数Ｔｂにより最後の入力速度信号ｖｘが尾を引くようになる。但し、長々と尾を引くのを避けるため、出力速度信号Ｖｘが閾値より小さくなると、出力速度信号Ｖｘは０になる。
【００２９】
図６に示すように、入力速度信号ｖｘが時定数Ｔｂより小さい立上りと立下りを持つ場合は、入力速度信号ｖｘがほぼそのまま出力速度信号Ｖｘとなる。
【００３０】
ローパスフィルタ３ｙ’の各部の信号波形も同様である。
【００３１】
実施例２のタッチパネル式入力装置２００によれば、操作者の指が非接触状態から接触状態になった時は反応が遅れるので、トラックボールが最初は慣性で回りにくい動作を模倣することが出来る。また、その後は速やかに反応するので、操作者の指が接触状態を維持してトラックボールを回しているときの動作を模倣することが出来る。さらに、操作者の指が非接触状態になった後も最後の速度信号が尾を引くようになるので、トラックボールが慣性で回る動作を模倣することが出来る。
【実施例３】
【００３２】
実施例１および実施例２において、スイッチＢx2，Ｂy2をオンするタイミングで抵抗Ｒbx，Ｒbyの値を小さくするようにし、スイッチＢx2，Ｂy2を省略してもよい。
【実施例４】
【００３３】
実施例２において、Ｒａ＝０としてもよい。
【産業上の利用可能性】
【００３４】
本発明の信号変換方法、速度信号変換装置およびタッチパネル式入力装置は、超音波診断装置の入力方法および入力装置として利用できる。
【図面の簡単な説明】
【００３５】
【図１】実施例１に係るタッチパネル式入力装置を示す構成説明図である。
【図２】実施例１に係るローパスフィルタの各部の信号波形図である（入力速度信号がステップ状に変化する場合）。
【図３】実施例１に係るローパスフィルタの各部の信号波形図である（入力速度信号がランプ状に変化する場合）。
【図４】実施例２に係るタッチパネル式入力装置を示す構成説明図である。
【図５】実施例２に係るローパスフィルタの各部の信号波形図である（入力速度信号がステップ状に変化する場合）。
【図６】実施例２に係るローパスフィルタの各部の信号波形図である（入力速度信号がランプ状に変化する場合）。
【符号の説明】
【００３６】
１                              タッチセンサ部
２，２’                        信号変換部
３ｘ，３ｙ，３ｘ’，３ｙ’      ローパスフィルタ
１０，１０’                    信号処理部
１００，２００                  タッチパネル式入力装置
【図１】
2008102885.tif 000003
【図２】
2008102885.tif 000004
【図３】
2008102885.tif 000005
【図４】
2008102885.tif 000006
【図５】
2008102885.tif 000007
【図６】
2008102885.tif 000008